(57)【要約】【課題】ＣＣＦＬのＬＯＷ側においてフィードバックをかけられない状態においても、入力電圧の変動による出力の変化を制御できる冷陰極管点灯回路を提供する。【解決手段】入力電圧をドライバー部で所定の周波数に変換してトランスから昇圧されたＣＣＦＬの駆動電圧を得る冷陰極管点灯回路において、トランスの１次巻線に並列にフィードバック巻線を配置し、そのフィードバック巻線から得られた電圧を出力制御部にフィードバックをかけてドライバー部の動作を制御する。【選択図】  図１
2004327352.tif 000002
【特許請求の範囲】
【請求項１】
入力電圧をドライバー部で所定の周波数に変換してトランスから昇圧されたＣＣＦＬの駆動電圧を得る冷陰極管点灯回路において、
トランスの１次巻線に並列にフィードバック巻線を配置し、そのフィードバック巻線から得られた電圧を出力制御部にフィードバックをかけてドライバー部の動作を制御することを特徴とする冷陰極管点灯回路。
【請求項２】
入力電圧をドライバー部で所定の周波数に変換して複数のトランスから昇圧された複数のＣＣＦＬの駆動電圧を得る冷陰極管点灯回路において、
複数のトランスの１次巻線の少なくとも一つに並列にフィードバック巻線を配置し、そのフィードバック巻線から得られた電圧を出力制御部にフィードバックをかけてドライバー部の動作を制御することを特徴とする冷陰極管点灯回路。
【請求項３】
入力電圧をドライバー部で所定の周波数に変換して２つのトランスから昇圧されてＣＣＦＬの両端に印加される駆動電圧を得る冷陰極管点灯回路において、
トランスの１次巻線に並列にフィードバック巻線を配置し、そのフィードバック巻線から得られた電圧を出力制御部にフィードバックをかけてドライバー部の動作を制御することを特徴とする冷陰極管点灯回路。
【発明の詳細な説明】
【０００１】
【発明の属する技術分野】
本発明は液晶表示装置のバックライト等として用いられる冷陰極管点灯回路に係るもので、インバータ回路の出力制御を行うフィードバック回路に関するものである。
【０００２】
【従来の技術】
【特許文献１】特開平１１−３３９９９０号公報
【特許文献２】特開平１１−１７８３５４号公報
【０００３】
液晶表示装置のバックライト等に冷陰極蛍光管（ＣＣＦＬ）が用いられており、その点灯のためにインバータ回路が使用される。インバータ回路によってトランスの１次巻線をオンオフし、トランスの２次側から昇圧された駆動電圧を得て冷陰極管を点灯させる。冷陰極管の輝度を一定に保つために、管電流（出力）を検出してフィードバックをかけ、駆動回路の動作の制御が行われる。
【０００４】
図４は、インバータ回路において出力制御を行うための回路構成を示すブロック図である。ＣＣＦＬ４５のＬＯＷ側に流れる電流を抵抗Ｒ１によって電圧として検出し、フィードバックループによって出力制御部４７に帰還をかけてドライバー部４１の動作を制御するものである。
【０００５】
しかし、ＣＣＦＬを多灯にした場合には、図５に示したように、ＬＯＷ側をまとめてグラウンド（ＧＮＤ）に落としてしまい、フィードバックがかけられなくなる。ＣＣＦＬの出力からフィードバックがかからないので、入力電圧の変動によって出力も変動してしまう。また、ＣＣＦＬの管長が長くなると点灯電圧が不足するので、図６に示したようにＣＣＦＬの両端に高電圧を印加する必要がある。すなわち、ＣＣＦＬの両端をＨＩとしなければならないのでフィードバック電圧を検出することができない。その結果、入力電圧の変動によって出力（ＣＣＦＬの管電流）も変化してしまう。
【０００６】
【発明が解決しようとする課題】
本発明は、ＣＣＦＬのＬＯＷ側においてフィードバックをかけられない状態においても、入力電圧の変動による出力の変化を制御できる冷陰極管点灯回路を提供するものである。
【０００７】
【課題を解決するための手段】
本発明は、トランスの１次側からフィードバック信号を得ることによって、上記の課題を解決するものである。すなわち、入力電圧をドライバー部で所定の周波数に変換してトランスから昇圧されたＣＣＦＬの駆動電圧を得る冷陰極管点灯回路において、トランスの１次巻線に並列にフィードバック巻線を配置し、そのフィードバック巻線から得られた電圧を出力制御部にフィードバックをかけてドライバー部の動作を制御することに特徴を有するものである。
【０００８】
【発明の実施の形態】
本発明による冷陰極管点灯回路は、並列点灯でＣＣＦＬのＬＯＷ側が共通にＧＮＤに落とされる多灯用とする場合、また、長尺の両端に高電圧（ＨＩ）を印加しなければならない場合に有効である。少なくともトランスの１次巻線の一つに並列にフィードバック巻線を配置することによって、入力電圧の変動を検出し、ドライバー部の動作を制御することができる。
【０００９】
【実施例】
以下、図面を参照して、本発明の実施例について説明する。図１は、本発明の実施例を示すブロック図で、２つのＣＣＦＬを２つの昇圧トランスで駆動するものである。入力電圧をドライバー部１１で所定の周波数の信号に変換してスイッチング素子を動作させてトランス１３Ａ、１３Ｂの１次巻線に間欠的に通電する。それに応じてトランス１３Ａ、１３Ｂの２次側に昇圧された電圧が発生し、ＣＣＦＬ１５Ａ、１５Ｂの一方の電極に印加されてＣＣＦＬに電流が流れる。ＣＣＦＬ１５Ａ、１５Ｂの多端は共通接続されて接地される。
【００１０】
トランスの１次巻線に並列に巻回されたフィードバック巻線１４Ａ、１４Ｂにもトランス１３Ａ、１３Ｂの出力に応じた電流が流れる。この電流をダイオードで整流し、コンデンサと抵抗が並列に接続された平滑回路で平滑してフィードバック信号を得て、出力制御部１７に帰還させる。出力制御部１７ではあらかじめ設定した基準信号と比較して、ドライバー部１１に駆動制御信号を出力する。このフィードバックと制御によってトランスの出力が一定となるように点灯回路（インバータ）の動作が制御される。すなわち、入力電圧が変動するとフィードバック巻線部に発生する電圧も変動し、その変動に応じて出力制御部の制御信号を変化させて出力電圧が一定に保たれる方向に制御する。これらの一連の動作によってＣＣＦＬに流れる電流が一定に保たれる。
【００１１】
図２は本発明の他の実施例を示すもので、基本的な構成は図１に示したものと同じである。ただ、この例ではトランス２３Ｂにのみフィードバック巻線が並列に設けられている。このフィードバック巻線２４に流れる電流をダイオードで整流し、コンデンサと抵抗が並列に接続された平滑回路で平滑してフィードバック信号を得て、出力制御部２７に帰還させることは同じである。１つのフィードバック巻線の出力で２つのトランスを制御する。図３は１つのトランス３３で２つのＣＣＦＬを点灯させる例を示したもので、トランスの１次側が共通になっているものである。この構成を両端に高電圧を印加する回路にも使うこともでき、長尺のＣＣＦＬを点灯させるとともに、その輝度をフィードバック信号によって制御することができる。
【００１２】
【発明の効果】
本発明によれば、多灯用のインバータ回路においてＣＣＦＬのＬＯＷ側をすべてＧＮＤに落とした状態でも、フィードバックをかけて出力を制御することができる。また、ＣＣＦＬの管長が長くてＣＣＦＬの両端に高電圧（ＨＩ）を印加する状態においてもフィードバックをかけることが可能となる。
【図面の簡単な説明】
【図１】本発明の実施例を示すブロック図
【図２】本発明の他の実施例を示すブロック図
【図３】本発明の他の実施例を示すブロック図
【図４】従来の点灯回路を示すブロック図
【図５】従来の点灯回路を示すブロック図
【図６】従来の点灯回路を示すブロック図
【符号の説明】
１１、４１：ドライバー部
１３、２３、３３：トランス
１４、２４：フィードバック巻線
１５、４５：ＣＣＦＬ
１７、２７、４７：出力制御部
【図１】
2004327352.tif 000003
【図２】
2004327352.tif 000004
【図３】
2004327352.tif 000005
【図４】
2004327352.tif 000006
【図５】
2004327352.tif 000007
【図６】
2004327352.tif 000008